(57)【特許請求の範囲】
【請求項１】
略楕円形の扁平な袋状で内部に梅食品の収容部を構成し、表面に梅食品が前記梅食品の収容部より外部に徐々に出るための間隙であるスリットを構成し、一端に把持部を取り付けるため装着部を構成した本体と、先端に前記本体の装着部に着脱自在に取り付けるための取付部を構成した棒状の把持部とからなり、
前記本体の装着部に把持部の取付部を連結して、前記本体を口腔内に入れ舌と上口蓋の間でしゃぶることにより、前記本体の上面と下面が押されて、梅食品が前記スリットから徐々に口腔内に出てくることを特徴とする梅食品保持具。
【請求項２】
内部に梅食品の載置部を構成し、表面に梅食品が前記梅食品の載置部より外部に徐々に出るための間隙である複数のスリットを構成した本体と把持部を一体に構成したスプーン状の基体を２個構成し、一方の本体の周囲には溝部を構成し他方の本体の周囲には凸条を構成し、この２個の基体を連結部で連結してなり、
予め一方の本体の載置部に梅食品を入れて、その後一方の本体の溝部と他方の本体の凸条を嵌め合わせて固定して、前記本体を口腔内に入れ舌と上口蓋の間でしゃぶることにより、前記本体の上面と下面が押されて、梅食品が前記スリットから徐々に口腔内に出てくることを特徴とする梅食品保持具。
【請求項３】
内部に梅食品の載置部を構成し、表面に梅食品が前記梅食品の載置部より外部に徐々に出るための間隙である複数のスリットを構成し、周囲に溝部を構成した本体と把持部を一体に構成し、内部に梅食品の載置部を構成し表面に梅食品が前記梅食品の載置部より外部に徐々に出るための間隙である複数のスリットを構成し、周囲に凸条を構成した被覆体を構成してなり、前記本体と被覆体を連結部で連結し、
予め本体の載置部に梅食品を入れて、その後本体の溝部と被覆体の凸条を嵌め合わせて固定して、前記本体と被覆体を口腔内に入れ舌と上口蓋の間でしゃぶることにより、前記本体と被覆体の表面が押されて、梅食品が前記スリットから徐々に口腔内に出てくることを特徴とする梅食品保持具。
【請求項４】
内部に梅食品の載置部を構成し、表面に梅食品が前記梅食品の収容部より外部に徐々に出るための間隙である複数のスリットを構成し、周囲に溝部を構成した本体と把持部を一体に構成し、内部に梅食品の載置部を構成し、表面に梅食品が前記梅食品の収容部より外部に徐々に出るための間隙である複数のスリットを構成し、周囲に凸条を構成した蓋体とからなり、
予め本体の載置部に梅食品を入れ、その後本体の溝部と蓋体の凸条を嵌め合わせて固定して口腔内に入れ、前記本体と蓋体を口腔内に入れ舌と上口蓋の間でしゃぶることにより、前記本体と蓋体の表面が押されて、梅食品が前記スリットから徐々に口腔内に出てくることを特徴とする梅食品保持具。
【発明の詳細な説明】
【技術分野】
【０００１】
本発明は、梅干しあるいは練梅干し等の梅食品を食するための梅食品保持具に関するものである。
【背景技術】
【０００２】
従来より、主として子供のおやつ用として非特許文献１に示すように、筍の皮で梅干しを包んで噛んだりしゃぶったりして少しずつ、ゆっくり味わう食品があった。
【先行技術文献】
【非特許文献】
【０００３】
【非特許文献１】クックパッド[２０１５年５月２７日検索]、インターネット<URL: http://cookpad.com/recipe/2197652>
【０００４】
非特許文献１によれば、この食品の作り方が記載されている。これによれば、筍の皮をむいて産毛をとってから茹でて、その後適当な大きさに切って、その皮で梅干しを包んで作るものである。
【発明の概要】
【発明が解決しようとする課題】
【０００５】
前記非特許文献１記載の製造方法では、筍の皮を調理するのに手間がかかり手軽に作ることができない。また一度使うと廃棄して再度使用することができないなどの課題があった。
本発明はこれら従来例の課題を解決したもので、簡単な構造で梅干しなどの梅食品を手軽に食することができ、何度でも使用できる梅食品保持具を提供することを目的とする。
【課題を解決するための手段】
【０００６】
請求項１に記載の発明は、略楕円形の扁平な袋状で内部に梅食品の収容部を構成し、表面に梅食品が前記梅食品の収容部より外部に徐々に出るための間隙であるスリットを構成し、一端に把持部を取り付けるため装着部を構成した本体と、先端に前記本体の装着部に着脱自在に取り付けるための取付部を構成した棒状の把持部とからなり、前記本体の装着部に把持部の取付部を連結して、前記本体を口腔内に入れ舌と上口蓋の間でしゃぶることにより、前記本体の上面と下面が押されて、梅食品が前記スリットから徐々に口腔内に出てくることを特徴とする梅食品保持具である。
【０００７】
請求項２に記載の発明は、内部に梅食品の載置部を構成し、表面に梅食品が前記梅食品の載置部より外部に徐々に出るための間隙である複数のスリットを構成した本体と把持部を一体に構成したスプーン状の基体を２個構成し、一方の本体の周囲には溝部を構成し他方の本体の周囲には凸条を構成し、この２個の基体を連結部で連結してなり、予め一方の本体の載置部に梅食品を入れて、その後一方の本体の溝部と他方の本体の凸条を嵌め合わせて固定して、前記本体を口腔内に入れ舌と上口蓋の間でしゃぶることにより、前記本体の上面と下面が押されて、梅食品が前記スリットから徐々に口腔内に出てくることを特徴とする梅食品保持具である。
【０００８】
請求項３に記載の発明は、内部に梅食品の載置部を構成し、表面に梅食品が前記梅食品の載置部より外部に徐々に出るための間隙である複数のスリットを構成し、周囲に溝部を構成した本体と把持部を一体に構成し、内部に梅食品の載置部を構成し表面に梅食品が前記梅食品の載置部より外部に徐々に出るための間隙である複数のスリットを構成し、周囲に凸条を構成した被覆体を構成してなり、前記本体と被覆体を連結部で連結し、予め本体の載置部に梅食品を入れて、その後本体の溝部と被覆体の凸条を嵌め合わせて固定して、前記本体と被覆体を口腔内に入れ舌と上口蓋の間でしゃぶることにより、前記本体と被覆体の表面が押されて、梅食品が前記スリットから徐々に口腔内に出てくることを特徴とする梅食品保持具である。
【０００９】
請求項４に記載の発明は、内部に梅食品の載置部を構成し、表面に梅食品が前記梅食品の収容部より外部に徐々に出るための間隙である複数のスリットを構成し、周囲に溝部を構成した本体と把持部を一体に構成し、内部に梅食品の載置部を構成し、表面に梅食品が前記梅食品の収容部より外部に徐々に出るための間隙である複数のスリットを構成し、周囲に凸条を構成した蓋体とからなり、予め本体の載置部に梅食品を入れ、その後本体の溝部と蓋体の凸条を嵌め合わせて固定して口腔内に入れ、前記本体と蓋体を口腔内に入れ舌と上口蓋の間でしゃぶることにより、前記本体と蓋体の表面が押されて、梅食品が前記スリットから徐々に口腔内に出てくることを特徴とする梅食品保持具である。
【発明の効果】
【００１０】
請求項１記載の梅食品保持具によれば、略楕円形の扁平な袋状で内部に梅食品の収容部を構成し、表面に梅食品が前記梅食品の収容部より外部に徐々に出るための間隙であるスリットを構成し、一端に把持部を取り付けるため装着部を構成した本体と、先端に前記本体の装着部に着脱自在に取り付けるための取付部を構成した棒状の把持部とからなるため、携帯に便利であり長き使用に耐えると共に、使用に際しては本体の装着部に把持部の取付部を連結して、本体を口腔内に入れ舌と上口蓋の間でしゃぶることにより、本体の上面と下面が押されて、梅食品がスリットから徐々に口腔内に出てくるため、梅干しが苦手な人でも手軽に食べることができ、長時間楽しむことができる。さらに本体と把持部の組み合わせを変えることができるためファッション性に富み、梅食品を梅食品の収容部の中にスピーディに入れることができると共に掃除が簡単である等の効果を奏する。
【００１１】
請求項２記載の梅食品保持具によれば、内部に梅食品の載置部を構成し、表面に梅食品が前記梅食品の載置部より外部に徐々に出るための間隙である複数のスリットを構成した本体と把持部を一体に構成したスプーン状の基体を２個構成し、一方の本体の周囲には溝部を構成し他方の本体の周囲には凸条を構成し、この２個の基体を連結部で連結してなり、予め一方の本体の載置部に梅食品を入れて、その後一方の本体の溝部と他方の本体の凸条を嵌め合わせて固定して、前記本体を口腔内に入れ舌と上口蓋の間でしゃぶることにより、前記本体の上面と下面が押されて、梅食品が前記スリットから徐々に口腔内に出てくるため前記請求項１記載の効果に加えて、梅食品を本体の中に載置しやすい等の効果を奏する。
【００１２】
請求項３記載の梅食品保持具によれば、内部に梅食品の載置部を構成し、表面に梅食品が前記梅食品の載置部より外部に徐々に出るための間隙である複数のスリットを構成し、周囲に溝部を構成した本体と把持部を一体に構成し、内部に梅食品の載置部を構成し表面に梅食品が前記梅食品の載置部より外部に徐々に出るための間隙である複数のスリットを構成し、周囲に凸条を構成した被覆体を構成してなり、前記本体と被覆体を連結部で連結し、予め本体の載置部に梅食品を入れて、その後本体の溝部と被覆体の凸条を嵌め合わせて固定して、前記本体と被覆体を口腔内に入れ舌と上口蓋の間でしゃぶることにより、前記本体と被覆体の表面が押されて、梅食品が前記スリットから徐々に口腔内に出して食するため、前記請求項１記載の効果に加えて、梅食品を本体の中に載置しやすい等の効果を奏する。
【００１３】
請求項４に記載の発明は、内部に梅食品の載置部を構成し、表面に梅食品が前記梅食品の収容部より外部に徐々に出るための間隙である複数のスリットを構成し、周囲に溝部を構成した本体と把持部を一体に構成し、内部に梅食品の載置部を構成し、表面に梅食品が前記梅食品の収容部より外部に徐々に出るための間隙である複数のスリットを構成し、周囲に凸条を構成した蓋体とからなり、予め本体の載置部に梅食品を入れ、その後本体の溝部と蓋体の凸条を嵌め合わせて固定して口腔内に入れ、前記本体と蓋体を口腔内に入れ舌と上口蓋の間でしゃぶることにより、前記本体と蓋体の表面が押されて、梅食品が前記スリットから徐々に口腔内に出して食するため、前記請求項１記載の効果に加えて、構成が簡単となり、梅食品を本体の中に載置しやすい等の効果を奏する。
【図面の簡単な説明】
【００１４】
【図１】梅食品保持具の実施形態１の斜視図
【図２】梅食品保持具の実施形態１の平面図
【図３】梅食品保持具の実施形態１の側面図
【図４】梅食品保持具の使用状態を示す説明図
【図５】梅食品を収容するチューブの斜視図
【図６】梅食品保持具の実施形態２の開いた状態の斜視図
【図７】梅食品保持具の実施形態３の開いた状態の斜視図
【図８】梅食品保持具の実施形態４の斜視図
【発明を実施するための形態】
【００１５】
図１は本発明の実施形態１の梅食品保持具１の全体の斜視図である。  梅食品保持具は、本体１１と把持部１７からなる。
【００１６】
前記本体１１は、略楕円形の扁平な袋状で内部に梅食品の収容部１２を構成すると共に、一端に前記把持部１７を取り付けるため装着部１３を構成し、さらに梅食品の出口であるスリット１４を周囲に複数構成する。
本明細書の中で、梅食品とは梅干し及び梅干しに調味料等を加えて製作したジャム状の食品をいう。
【００１７】
前記梅食品の収容部１２は梅食品（図示せず）を収容する場所であり、スリット１４は本体１１の側部に多数設けられている。このスリット１４は梅食品が梅食品の収容部１２より外部に少しずつ出るための間隙であり、スリット１４の数と大きさ及び設置する位置は任意に決めることができる。例えば本体１１の上面と下面に穴を穿設して設けても良い。
【００１８】
本体１１は口腔内に入れて噛んだりしゃぶったりするものであるから軟質の材質で作られている。本実施形態ではシリコンゴム製であるが、これに限らず他の材質も採用できる。
【００１９】
把持部１７は合成樹脂製の棒状であり先端に取付部１８を構成して少しカーブしていて、この取付部１８を前記本体１１の装着部１３に着脱自在に装着して使用する。
この把持部１７は本体１１に対して固定したものでもよく、その場合には梅食品の収容部１２に例えば切込を入れる等の公知の方法で梅食品の挿入口を設ける。
【００２０】
図５に示すチューブ５１は内部に梅食品を収容していて、先端の注入口５２を前記本体１１の装着部１３から梅食品の収容部１２に差し込んで、梅食品を押し出して梅食品の収容部１２に入れる。本実施形態では、注入口５２の先端に補助部５３を構成して梅食品の収容部１２への挿入を容易にしている。
【００２１】
上記のように構成した実施形態１の作用を説明する。
まずチューブ５１内の梅食品を注入口５２、補助部５３を介して本体１１の梅食品の収容部１２に入れる。また、梅干しを所定の大きさに切って直接梅食品の収容部１２に入れても良い。
【００２２】
その後、図４に示すように把持部１７を手に持って本体１１を口腔内に入れ舌と上口蓋の間でしゃぶるようにすると、本体１１の上面と下面が押されて梅食品の収容部１２内の梅食品がスリット１４から徐々に出てきて口腔内に広がる。このようにして梅食品を徐々に口の中に出していき味わうのである。
【００２３】
上記実施形態の効果は、前述のように舌と上口蓋で押して梅食品の量を調整しながら、好みの量を出せるため梅食品独特の酸っぱさをやわらげることができる。そのため梅干しを食べる時の強い刺激がなくなり食べやすくなる上に、梅干しが苦手な人でも梅食品を手軽に食べることができ、かつ長時間楽しむことができる。さらに携帯に便利であり長き使用に耐える。
【００２４】
また梅食品自体の効果としては、唾液がたくさん出るので口腔内の殺菌効果があがること、さらに栄養補給、熱中症予防、ピロリキンの繁殖防止、禁煙効果、ダイエット効果などがあげられるが、本実施形態によればこれらの効果を享有することができる。
なお以下の実施形態でも上記の効果は得られるものである。
【００２５】
図６は本発明の実施形態２の梅食品保持具の斜視図である。
実施形態２は、梅食品の載置部２２を構成した本体２１と把持部２７を一体に構成したスプーン状の基体２０を２個構成し、この２個の基体２０をヒンジからなる連結部２３で連結したものである。
【００２６】
本体２１は略円形で内部に梅食品の載置部２２を構成する。また本体２１表面に複数のスリット２４を構成する。
そして一方の本体２１の周囲には溝部２６を構成し、他方の本体２１の周囲には凸条２５を構成する。
【００２７】
使用に際しては、予め一方の本体２１の載置部２２に梅食品を入れて、その後他方の本体２１を連結部２３によって回動して重ね合わせて、一方の本体２１の溝部２６と他方の本体２１の凸条２５を嵌め合わせて２個の基体２０を一体に固定する。その後、本体２１を口に入れて前記と同様に食する。
【００２８】
本実施形態では、梅食品を本体２１の載置部２２にスピーディに入れることができると共に掃除が簡単である等の効果を奏する。
【００２９】
図７は本発明の実施形態３の梅食品保持具の斜視図である。
実施形態３は、梅食品の載置部３２を構成した本体３１と把持部３７を一体に構成し、前記本体３１と同様の形状の被覆体３９を別体に構成し、前記本体３１に被覆体３９をヒンジからなる連結部３３で連結したものである。
【００３０】
前記本体３１は略円形で内部に載置部３２を構成する。また本体３１表面に複数のスリット３４を構成する。そして本体３１の周囲には溝部３６を構成し、被覆体３９の周囲には凸条３５を構成する。
【００３１】
使用に際しては、予め本体３１の載置部３２に梅食品を入れて、その後被覆体３９を連結部３３によって回動して重ね合わせて、本体３１の溝部３６と被覆体３９の凸条３５を嵌め合わせて固定する。その後、本体３１を口に入れて前記と同様に食する。
【００３２】
本実施形態では、実施形態２より構成が簡易となり、梅食品を本体３１の載置部３２に容易に入れることができ、掃除が簡単である等の効果を奏する。
【００３３】
図８は本発明の実施形態４の梅食品保持具の斜視図である。
実施形態４は、梅食品の載置部４２を構成した本体４１と把持部４７を一体に構成し、前記本体４１を密閉する蓋体４９を別体に構成したものである。本体４１は略円形で内部に載置部４２を構成し、表面には複数のスリット４４を構成する。
【００３４】
使用に際しては、予め本体４１の載置部４２に梅食品を入れて、その後蓋体４９によって前記本体４１を覆って密閉する。本体４１の溝部４６と蓋体４９の凸条４５を嵌め合わせて固定する。その後、本体４１を口に入れて前記と同様に食する。
【００３５】
本実施形態では、構成が簡単であり、梅食品を本体４１の載置部４２に容易に入れることができ、掃除が簡単である等の効果を奏する。
【００３６】
上記各実施形態の本体２１、３１、４１、被覆体３９及び蓋体４９の材質は、実施形態１の本体１１と同様の軟質の材質である。
【符号の説明】
【００３７】
１  梅食品保持具          ２  梅食品保持具  
３  梅食品保持具          ４  梅食品保持具  
１１  本体                １２  梅食品の収容部
１３  装着部              １４  スリット
１７  把持部              １８  取付部
２０  基体                ２１  本体  
２２  載置部              ２３  連結部
２４  スリット            ２５  凸条
２７  把持部
３１  本体                ３２  載置部    
３３  連結部              ３４  スリット  
３５  凸条                ３７  把持部    
３９  被覆体
４１  本体                ４２  載置部  
４４  スリット            ４５  凸条    
４７  把持部              ４９  蓋体    
５１  チューブ
【要約】
【課題】  簡単な構造で、梅干し及び梅干しに調味料等を加えて製作したジャム状の食品等の梅食品を手軽に食することができ、携帯に便利で何度でも使用できる梅食品保持具を提供する。
【解決手段】  内部に梅食品の収容部１２を構成し表面に梅食品の出口１４を構成した本体１１と、前記本体１１に着脱自在あるいは固定した把持部１７とからなり、使用に際しては把持部を手に持って本体を口腔内に入れてしゃぶるようにすることで梅食品を食する梅食品保持具。
【選択図】図１【図１】
0006043843.tif 000002
【図２】
0006043843.tif 000003
【図３】
0006043843.tif 000004
【図４】
0006043843.tif 000005
【図５】
0006043843.tif 000006
【図６】
0006043843.tif 000007
【図７】
0006043843.tif 000008
【図８】
0006043843.tif 000009